【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
第１基板と、
第２基板と、
前記第１基板と前記第２基板との間に挟持される液晶とを有する液晶表示パネルを備え、マトリクス状に配置された複数の画素を有する液晶表示装置であって、
前記第２基板は、タッチパネルの複数の検出電極を有し、
前記各画素は、画素電極と対向電極とを有し、
Ｍを２以上の整数（Ｍ≧２）とするとき、前記対向電極は、Ｍ個のブロックに分割されており、
前記Ｍ個に分割された各ブロックの対向電極は、連続する複数の表示ラインの各画素に対して共通に設けられており、
前記Ｍ個に分割された各ブロックの対向電極は、前記タッチパネルの走査電極を兼用し、
前記Ｍ個に分割された各ブロックの対向電極に対して、対向電圧とタッチパネル走査電圧を供給する駆動回路と、
前記複数の検出電極に流れる電流に基づき、タッチの有無を検出する検出回路とを有し、
前記駆動回路は、前記Ｍ個に分割された各ブロックの対向電極に対してタッチパネル走査電圧を順次供給し、
前記検出回路は、
前記複数の検出電極毎に設けられる複数の積分回路と、
前記複数の積分回路の出力電圧をデジタルデータに変換するＡＤ変換器と、を有し、
前記Ｍ個に分割された各ブロックの対向電極に対してタッチパネル走査電圧が供給されたＭ回のタッチ検出期間に、前記複数の検出電極に流れる電流に基づき、タッチの有無を検出し、
前記Ｍ回のタッチ検出期間に連続する（Ｍ＋１）回目のタッチ検出期間をノイズ検出期間として、前記駆動回路から前記Ｍ個に分割された各ブロックの対向電極に対して、タッチパネル走査電圧を供給せずに、前記複数の検出電極に流れる電流に基づき、ノイズを検出し、
前記各積分回路は、前記Ｍ回のタッチ検出期間、および、ノイズ検出期間に、それぞれの検出電極に流れる電流を積分し、
前記検出回路は、前記タッチ検出期間においては、前記ＡＤ変換器で変換されるデジタルデータにおける、最下位ビットと最上位ビットの中間の値よりも最下位ビットに近い値を第１動作点とし、タッチ有り無しを検出し、
前記ノイズ検出期間においては、前記ＡＤ変換器で変換されるデジタルデータにおける、最上位ビットを第２動作点として、ノイズを検出することを特徴とする液晶表示装置。
【請求項２】
前記検出回路は、前記複数の積分回路の前記Ｍ個に分割された各ブロックの対向電極毎の積分値を前記ＡＤ変換器で変換した時のデジタルデータの値が、前記第１動作点と最上位ビットとの間の値で、かつ、前記第１動作点との差が所定の閾値１よりも大きい場合にタッチ有り、それ以外をタッチ無しと判断し、
前記ノイズ検出期間の積分値を前記ＡＤ変換器で変換した時のデジタルデータの値が、前記第２動作点と最下位ビットとの間の値で、かつ、前記第２動作点との差が所定の閾値２よりも大きい場合に、ノイズと判断することを特徴とする請求項１に記載の液晶表示装置。
【請求項３】
前記ＡＤ変換器で変換されるデジタルデータは、１０ビットのデータであり、
前記第１動作点は、十進法で２５０〜３５０の値であり、
前記第２動作点は、十進法で１０２３に近い値であることを特徴とする請求項１に記載の液晶表示装置。
【請求項４】
前記検出回路は、前記検出回路においてノイズが検出された時に、前記ノイズにより生じる架空タッチを識別し、
前記検出回路は、前記検出回路でノイズが検出された検出電極に対応する積分回路における、前記Ｍ個に分割された各ブロックの対向電極毎の積分値を前記ＡＤ変換器で変換した時のデジタルデータを平均化フィルタを通し、前記平均化フィルタを通した後のデータの中で、データ値が、最大値を持つものを実際のタッチ電極と判断し、データ値が、前記最大値と最下位ビットとの間の値で、かつ、前記最大値との差が所定の閾値３よりも大きい電極を架空タッチ電極と識別することを特徴とする請求項１に記載の液晶表示装置。
【請求項５】
第１基板と、
第２基板と、
前記第１基板と前記第２基板との間に挟持される液晶とを有する液晶表示パネルを備え、マトリクス状に配置された複数の画素を有する液晶表示装置であって、
前記第２基板は、タッチパネルの複数の検出電極を有し、
前記各画素は、画素電極と対向電極とを有し、
Ｍを２以上の整数（Ｍ≧２）とするとき、前記対向電極は、Ｍ個のブロックに分割されており、
前記Ｍ個に分割された各ブロックの対向電極は、連続する複数の表示ラインの各画素に対して共通に設けられており、
前記Ｍ個に分割された各ブロックの対向電極は、前記タッチパネルの走査電極を兼用し、
前記Ｍ個に分割された各ブロックの対向電極に対して、対向電圧とタッチパネル走査電圧を供給する駆動回路と、
前記複数の検出電極に流れる電流に基づき、タッチの有無を検出する検出回路とを有し、
前記駆動回路は、前記Ｍ個に分割された各ブロックの対向電極に対してタッチパネル走査電圧を順次供給し、
前記検出回路は、前記Ｍ個に分割された各ブロックの対向電極に対してタッチパネル走査電圧が供給された際に、前記複数の検出電極に流れる電流に基づき、タッチの有無を検出する手段１と、
前記Ｍ個に分割された各ブロックの対向電極に対して、（Ｍ＋１）個目の対向電極が存在すると仮定し、且つ、当該（Ｍ＋１）個目の対向電極に対して、前記Ｍ個に分割された各ブロックの対向電極に対して供給されるタッチパネル走査電圧と同期したタッチパネル走査電圧が供給されたものと仮定して、前記複数の検出電極に流れる電流に基づき、ノイズを検出する手段２と、
前記手段２においてノイズが検出された時に、前記ノイズにより生じる架空タッチを識別する手段３とを有し、
タッチ検出処理において、前記手段２において、ノイズが検出されない時に、通常のタッチ位置検出処理を実行し、
前記手段２において、ノイズが検出された時に、前記手段３により前記ノイズにより生じる架空タッチが識別可能の場合に、前記手段３により識別した前記架空タッチを参照してタッチ位置検出処理を実行し、
前記手段２において、ノイズが検出された時に、前記手段３により前記ノイズにより生じる架空タッチが識別不可能の場合に、タッチ位置検出処理を実行しないことを特徴とする液晶表示装置。
【請求項６】
前記検出回路は、前記複数の検出電極毎に設けられる複数の積分回路と、
前記複数の積分回路の出力電圧をデジタルデータに変換するＡＤ変換器とを有し、
前記各積分回路は、前記Ｍ個に分割された各ブロックの対向電極にタッチパネル走査電圧が供給された時、および、前記架空の（Ｍ＋１）個目の対向電極に架空のタッチパネル走査電圧が供給された時に、それぞれの検出電極に流れる電流を、前記Ｍ個に分割された各ブロックの対向電極、および、前記架空の（Ｍ＋１）個目の対向電極毎に積分し、
前記手段１は、前記ＡＤ変換器で変換されるデジタルデータにおける、最下位ビットと最上位ビットの中間の値よりも最下位ビットに近い値を第１動作点として、前記複数の積分回路の前記Ｍ個に分割された各ブロックの対向電極毎の積分値を前記ＡＤ変換器で変換した時のデジタルデータの値が、前記第１動作点と最上位ビットとの間の値で、かつ、前記第１動作点との差が所定の閾値１よりも大きい場合にタッチ有り、それ以外をタッチ無しと判断し、
前記手段２は、前記ＡＤ変換器で変換されるデジタルデータにおける、最上位ビットを第２動作点として、前記複数の積分回路の前記架空の（Ｍ＋１）個目の対向電極の積分値を前記ＡＤ変換器で変換した時のデジタルデータの値が、前記第２動作点と最下位ビットとの間の値で、かつ、前記第２動作点との差が所定の閾値２よりも大きい場合に、ノイズと判断し、
前記手段３は、前記手段２でノイズが検出された検出電極に対応する積分回路における、前記Ｍ個に分割された各ブロックの対向電極毎の積分値を前記ＡＤ変換器で変換した時のデジタルデータを平均化フィルタを通し、前記平均化フィルタを通した後のデータの中で、データ値が、最大値を持つものを実際のタッチ電極と判断し、データ値が、前記最大値と最下位ビットとの間の値で、かつ、前記最大値との差が所定の閾値３よりも大きい電極を架空タッチ電極と識別することを特徴とする請求項５に記載の液晶表示装置。